(57)【要約】【課題】構成簡単で、安価に製造・販売でき、開放した蓋片を確実に開放状態を保持させることができ、誰にでも簡単に段ボール箱への装着ができる段ボール箱の開放蓋片押え金具を提供することにある。【解決手段】段ボール箱１０の隅部１１に装着可能な開放蓋片押え金具１であって、１本の金属線材を屈曲形成して、段ボール箱の隅部１１の内側に挿入する挿入杆部２と、挿入杆部２の上端から延びて段ボール箱１０の隅部１１の上端に載置する載置杆部２と、載置杆部２の一端から挿入杆部２に沿って段ボール箱１０の隅部１１の外側を下方に延びる外側杆部４と、外側杆部４の下端から延びて段ボール箱１０の外側に開放させた蓋片９を押える押え杆部５と、この押え杆部から延びて上記蓋片９と隣接する開放させた蓋片９を押える押え杆部６と、からなる構成のものである。【選択図】  図２
2006213354.tif 000002
【特許請求の範囲】
【請求項１】
平面視四角形状の開口縁の各辺に沿ってそれぞれ折り曲げ自在に形成された蓋片を有する段ボール箱の隅部に装着可能な開放蓋片押え金具であって、
所定長さの１本の金属線材を屈曲形成して、段ボール箱の隅部の内側に沿って段ボール箱内に挿入する挿入杆部と、挿入杆部の上端から延びて段ボール箱の隅部の上端に載置する載置杆部と、載置杆部の一端から挿入杆部に沿って段ボール箱の隅部の外側を下方に延びる外側杆部と、外側杆部の下端から延びて段ボール箱の外側に開放させた蓋片を押える押え杆部と、この押え杆部から延びて上記蓋片と隣接する開放させた蓋片を押える押え杆部とを備えたことを特徴とする段ボール箱の開放蓋片押え金具。
【請求項２】
挿入杆部の下端に球部を備えたことを特徴とする請求項１記載の段ボール箱の開放蓋片押え金具。
【発明の詳細な説明】
【技術分野】
【０００１】
本発明は、各種の物品を出し入れする時に、段ボール箱の蓋片を開放状態に保持するための段ボール箱の開放蓋片押え金具に関するものである。
【背景技術】
【０００２】
一般に各種の物を詰めて運搬したり保管したりする場合には段ボール箱が使用されている。この段ボール箱は周知のように、四角形状に形成した段ボール箱本体の上下の各開口縁の辺にそれぞれ蓋片が形成されていて、開口縁の各辺を折り目にして折畳めるようにしてある。段ボール箱に物を詰める場合は、段ボール箱本体の片方の開口縁の各辺の蓋片を段ボール箱本体側に折畳んでテープや止め金等で止め、段ボール箱本体の片側の開口を閉鎖して段ボール箱の底部とし、他方の開口縁の各辺の蓋片を外側に折り目から折り倒し、さらに、この開口から段ボール箱本体内に物品を詰めて再び外側に開放させていた各蓋片を開口側に折り畳んで蓋をし、テープや止め金等で止めている。また、この段ボール箱に詰めた物品を取り出す場合は、テープや止め金等を外して各蓋片を外側に折り目から折り倒して中の物品を取り出している。
【０００３】
しかしながら、段ボール箱に物品を詰める場合に、折畳まれていた段ボール箱を上記のようにして組み立て、開口側の各蓋片を折り目から外側に倒しても、各蓋片が開口に対して直立した状態になるか、やや内側に倒れた状態になる。そのため蓋片が邪魔になって詰め込み作業がし難くなる。そこで、各蓋片が上記の開口の外側に確実に倒れた状態になるように、各蓋片に折り癖をつけて開口の外側に倒して上記作業を行なっている。しかし、その都度各蓋片に折り癖をつけて開口の外側に倒す作業は手間がかかり、段ボール箱への物品の詰め込み作業に必要以上に時間を要してしまうといった問題があった。
【０００４】
また、段ボール箱に詰められている物品を取り出す場合も、各蓋片を段ボール箱本体の外側に倒して開口を開けるが、この場合にも各蓋片に開口側に倒れるような折り癖がついてしまっていて、物品の取り出し作業をするのに蓋片を手で外側に押えて作業をするか、或いは各蓋片が開口の外側に倒れるように折り癖をつけた後に物品の取り出し作業を行なわねばならなかった。そのため、段ボール箱からの物品の取り出し作業にも必要以上に時間を要してしまうといった問題があった。
【０００５】
そこで、このような問題を解決して段ボール箱への物品の詰め込みや、取り出し作業を手間取ること迅速に行なえるようにするために、下記の特許文献に記載されているような各種の蓋保持具が開発されている。
【０００６】
【特許文献１】特開２００２−９６８１６号公報
【特許文献２】実用新案登録第３００６６４９号公報
【特許文献３】実用新案登録第３０７７０４６号公報
【特許文献４】実開平７−４０４４６号公報
【特許文献５】実開平６−２０２９９号公報
【特許文献６】実開昭６４−３２３２３号公報
【発明の開示】
【発明が解決しようとする課題】
【０００７】
しかしながら、特許文献１〜特許文献６に記載の段ボール箱の蓋開放固定具（クリツプ、押え具、ストッパー）は、金属板を形取りして形成したり、合成樹脂で成形したものであるため、製造コストが高くなり、重量的にも重くなり、また保管しておく場合も嵩張り、さらに、段ボール箱内に挿入する内側部材も幅のある大きなものであるので、挿入時に内容物を疵付けてしまうといった問題点を有している。
【０００８】
本発明は上記のような点に鑑みて開発されたものであり、その目的とするところは、構成簡単で、安価に製造・販売でき、開放した蓋片を確実に開放状態を保持させることができ、誰にでも簡単に段ボール箱への装着ができる段ボール箱の開放蓋片押え金具を提供することにある。
【課題を解決するための手段】
【０００９】
上記のような目的を有効に達成するために請求項１に記載の本発明は、平面視四角形状の開口縁の各辺に沿ってそれぞれ折り曲げ自在に形成された蓋片を有する段ボール箱の隅部に装着可能な開放蓋片押え金具であって、所定長さの１本の金属線材を屈曲形成して、段ボール箱の隅部の内側に沿って段ボール箱内に挿入する挿入杆部と、挿入杆部の上端から延びて段ボール箱の隅部の上端に載置する載置杆部と、載置杆部の一端から挿入杆部に沿って段ボール箱の隅部の外側を下方に延びる外側杆部と、外側杆部の下端から延びて段ボール箱の外側に開放させた蓋片を押える押え杆部と、この押え杆部から延びて上記蓋片と隣接する開放させた蓋片を押える押え杆部とを備えたことを特徴とする段ボール箱の開放蓋片押え金具である。
【００１０】
また、請求項２に記載の本発明は、挿入杆部の下端に球部を備えたことを特徴とする請求項１記載の段ボール箱の開放蓋片押え金具である。
【発明の効果】
【００１１】
本発明は、所定長さの１本の金属線材を屈曲形成したものであるので、構成簡単で製造・販売を安価にすることができる。また、段ボール箱の隅部に装着する場合も、挿入杆部を段ボール箱の隅部の内側に沿って挿入するだけでよいので、誰にでも簡単に装着して、開放した
蓋片を押え杆部で押えて開放状態を保持させることができる。また、段ボール箱に対しては載置杆部を介して挿入杆部と外側杆部とで挟んだ状態にして装着するので、簡単に段ボール箱から外れることもなく、さらに蓋片の閉じようとする力に対しても金属線材で形成したものであるので、確実にかつ強く押えることができる。また、経年変化も殆どなく繰り返し長期間使用することができる。
【００１２】
また、本発明は挿入杆部の下端に球部を備えているので、段ボール箱の隅部に装着するために、段ボール箱の中に挿入杆部を挿入していった際に、挿入杆部の下端で段ボール箱を疵付けてしまうといったことを防止できる。
【発明を実施するための最良の形態】
【００１３】
以下、本発明を実施するための最良の形態を図に基いて説明する。
図１は本発明の一例の開放蓋片押え金具を示す斜視図であり、図２は段ボール箱の対向する隅部に装着した使用時の斜視図であり、図３は段ボール箱の隅部に装着した状態を示す説明図である。
【００１４】
図において、１は開放蓋片押え金具、２は挿入杆部、３は載置杆部、４は外側杆部、５、６は押え杆部、７で球部ある。この開放蓋片押え金具１は、平面視四角形状の開口縁８(図２、図３、図５参照)の各辺に沿ってそれぞれ折り曲げ自在に形成された蓋片９を有する段ボール箱１０の隅部１１に装着可能に形成されたものであって、この例では長さ５４cm、径３ｍｍ（勿論、この長さ、径に限定されるものではなく、他の長さ、径であってもよい。）の１本の金属線材を屈曲して形成してある。
【００１５】
より具体的に説明すると、上記の挿入杆部２は、段ボール箱１０の隅部１１の内側に沿って、段ボール箱１０の上端１２から中に挿入するものであり、上記の載置杆部３は、挿入杆部２に対して直角方向に屈曲して上端部２ａから少し延び、段ボール箱１０の隅部１１の上端部１２に載置するように形成してある。
【００１６】
外側杆部４は、載置杆部３の一端部３ａから直角方向に屈曲し、かつ上記の挿入杆部２と平行に、装着時に段ボール箱１０の隅部１１の外側に沿って下方に延びるように形成してある。外側杆部４の長さは、挿入杆部２の１／３位の長さである。
【００１７】
また、上記の一方の押え杆部５は、挿入杆部２と載置杆部３と外側杆部４とによって形成される空間面部１３に対して、４５度の方向に屈曲形成された横長長方形状の枠の部分であって、段ボール箱１０の開口縁８から外側に折り曲げて開放した蓋片９を外側から押えるものである。この押え杆部５は、上記の外側杆部４に対して直角方向に屈曲させて下端４ａから延び横長長方形状の長辺部１４ａを形成し、この長辺部１４ａの側端部１４ｂから直角方向に屈曲させ、下方に挿入杆部２に対して平行に短辺部１５を形成し、さらにこの短辺部１５の下端部１５ａから直角方向に屈曲させ、上記長辺部１４ａと平行に同一長さの長辺部１４ｃを形成して、上記した横長長方形状の枠にしたものである。
【００１８】
また、他方の押え杆部６は、上記した空間面部１３を境に押え杆部５と９０度の角度を以って形成された横長長方形状の枠の部分であり、押え杆部５と同形で同じ大きさのものであり、上記開放した蓋片９と隣接する他の蓋片９を同時に外側から押えるものである。この押え杆部６は、上記の長辺部１４ｃの側端部１４ｄから９０度の角度を以って水平方向に延びて横長長方形状の下側の長辺部１６ａを形成し、この長辺部１６ａの側端部１６ｂから直角に上方向に屈曲させ、挿入杆部２に対して平行に短辺部１７を形成し、さらにこの短辺部１７の上端部１７ａから外側杆部４の下端４ａ方向に直角に屈曲させて、上記長辺部１６ａと平行にかつ同一長さの長辺部１７ｂを形成し、この長辺部１７ｂの側端１７ｃが上記の外側杆部４の下端４ａに近接して、上記した横長長方形状の枠にしたものである。
【００１９】
さらに、上記の挿入杆部２の平坦な下端には、挿入杆部２の径より少し大きな径の鋼製の球部７を熱で溶着してある。
【００２０】
このような構成からなる開放蓋片押え金具１を使用して(図２、図３参照)、段ボール箱１０の開放した各蓋片９を、開放した状態に保持するには、先ず段ボール箱１０の所望の一隅部１１に、段ボール箱１０の上端１２の上方に載置杆部３が位置するようにして開放蓋片押え金具１を配し、載置杆部３が段ボール箱１０の上端１２に当接するまで挿入杆部２を隅部１１の内側に沿って挿入する。このようにして段ボール箱１０に開放蓋片押え金具１を装着することにより、段ボール箱本体１０ａの外面と対峙するように開口縁８から外側に開放した隣接する両蓋片９は、両方の押え杆部５、６と段ボール箱本体１０ａとで挟むようにして外から押えられる。このことにより段ボール箱１０の開口１０ｂは、完全に開放された状態になる。
【００２１】
同様にして、上記の一隅部１１と対角線上に対峙する他の隅部１１ａにも、上記と同様にして他の開放蓋片押え金具１を装着し、隣接する残りの両蓋片９を押えて、この両蓋片９の開放状態を保持する。
【００２２】
このように上記した開放蓋片押え金具１を２個使用することによって、段ボール箱１０の開放した４枚の蓋片９を開放した状態に保持でき、段ボール箱１０に物品を入れる作業や、段ボール箱１０の中から物品を取り出す作業を容易に行なうことができる。
【００２３】
また、開放蓋片押え金具１は、１本の金属線材を屈曲して形成したものであり、載置杆部３、外側杆部４を介した挿入杆部２と両押え杆部５、６とに弾力性があり、段ボール箱１０の隅部１１に装着する場合にも、挿入杆部２に対し載置杆部３、外側杆部４を介して両押え杆部５、６を少し弾性変形させることができ、段ボール箱１０への装着を容易に行なうことができる。
【００２４】
さらに、開放蓋片押え金具１は、上記したように金属線材で形成してあるので、安価に製造・販売でき、強度的のも優れ、繰り返し使用しても機能が損なわれることもなく、長期間使用することができる。また、軽くて持ち運びも容易であり、保管時に絡み合わせれば嵩張ることなく保管することができる。
【００２５】
図４は本発明の他の例の開放蓋片押え金具１であって、この例においては、押え杆部５，６の形状が上記した例の開放蓋片押え金具１と異なり、図示のように台形状の枠に形成してある。その他の構成は上記した例と同様であり、同一の符号を付してその説明を省略する。この構成の開放蓋片押え金具１も先の例のものと同様の作用効果を奏することができ、さらに先の例の押え杆部５，６に比べて大きい形の台形枠であるため、大きな蓋片に対して広い面を押えて、確実に蓋片の開放状態を保持させることができる。
【図面の簡単な説明】
【００２６】
【図１】本発明の一例の開放蓋片押え金具の斜視図である。
【図２】本発明の段ボール箱の対向する隅部に装着した使用時の斜視図である。
【図３】本発明の段ボール箱の隅部に装着した状態を示す説明図である。
【図４】本発明の他の例の開放蓋片押え金具の斜視図である。
【図５】蓋片を開放した状態の段ボール箱の斜視図である。
【符号の説明】
【００２７】
１      開放蓋片押え金具
２      挿入杆部
３      載置杆部
４      外側杆部
５      押え杆部
６      押え杆部
７      球部
８      開口縁
９      蓋片
１０    段ボール箱
１１    隅部
【図１】
2006213354.tif 000003
【図２】
2006213354.tif 000004
【図３】
2006213354.tif 000005
【図４】
2006213354.tif 000006
【図５】
2006213354.tif 000007